(57)【要約】      （修正有）【課題】選択された吸引圧での吸引動作により支持部材上に吸着された記録媒体に対しインクを吐出して記録を行う際、選択された吸引圧が強い吸引圧であっても、吸引動作に伴う画像濃度の低下を抑制する記録装置を提供する。【解決手段】インク吐出量により記録媒体をプラテン上（支持部上）に吸着させる吸引圧を選択する記録装置において、強い吸引圧での吸引動作を行う場合、弱い吸引圧での吸引動作を行う場合に比べてインクの吐出量が多くなるように、画像データ（ＲＧＢ）から記録に用いる記録データ（ＹＭＣＫ）を生成するＬＵＴを選択する。【選択図】図１１
2017140756.tif 000002
【特許請求の範囲】
【請求項１】
インクを吐出する記録ユニットと、
記録媒体を支持するための支持部であって、少なくとも前記記録ユニットと対向する位置に吸引口が設けられた前記支持部と、
前記記録媒体を前記支持部上に吸着するために、複数通りの吸引圧で前記吸引口を介して吸引動作を実行可能な吸引手段と、
前記複数通りの吸引圧の中から１つの吸引圧を選択する選択手段と、
前記記録媒体上に記録する画像に対応する画像データを取得する取得手段と、
前記取得手段によって取得された前記画像データに基づいて、記録に用いる記録データを生成する生成手段と、
前記選択手段により選択された吸引圧での前記吸引動作により前記支持部上に吸着された記録媒体に対し、前記生成手段によって生成された前記記録データに基づいてインクを吐出するように、前記記録ユニットからのインクの吐出を制御する制御手段と、を有する記録装置であって、
前記生成手段は、（ｉ）前記選択手段により第１の吸引圧が選択された場合、前記記録データによって定められるインクの吐出量が第１の量となるように、前記記録データを生成し、（ｉｉ）前記選択手段により前記第１の吸引圧よりも強い第２の吸引圧が選択された場合、前記記録データによって定められるインクの吐出量が前記第１の量よりも多い第２の量となるように、前記記録データを生成することを特徴とする記録装置。
【請求項２】
前記記録ユニットは、複数色のインクそれぞれを吐出する吐出口列を複数有し、
前記画像データは、輝度に関する色信号によって示されるデータであって、
前記記録データは、インクの色に関する色信号によって示されるデータであって、
前記生成手段は、
前記取得手段によって取得された前記画像データを色変換することにより、インクの色に関する色信号によって示されるインク色データを生成する色変換手段と、
前記変換手段によって生成された前記インク色データを量子化することにより、前記記録媒体上の複数の画素相当の画素領域それぞれに対するインクの吐出または非吐出を定める量子化データを生成する量子化手段と、
前記量子化手段によって生成された前記量子化データを前記複数の吐出口列に分配することにより、前記複数の吐出口列それぞれに対応する前記記録データを生成する分配手段と、を少なくとも含むことを特徴とする請求項１に記載の記録装置。
【請求項３】
前記記録ユニットは、複数色のインクそれぞれを吐出する吐出口列を１つずつ有し、
前記制御手段は、前記記録ユニットを前記記録媒体上の単位領域に対して複数回走査させながら前記複数色のインクを前記単位領域に吐出するように制御し、
前記画像データは、輝度に関する色信号によって示されるデータであって、
前記記録データは、インクの色に関する色信号によって示されるデータであって、
前記生成手段は、
前記取得手段によって取得された前記画像データを色変換することにより、インクの色に関する色信号によって示されるインク色データを生成する色変換手段と、
前記変換手段によって生成された前記インク色データを量子化することにより、前記記録媒体上の複数の画素相当の画素領域それぞれに対するインクの吐出または非吐出を定める量子化データを生成する量子化手段と、
前記量子化手段によって生成された前記量子化データを前記複数回の走査に分配することにより、前記複数回の走査それぞれに対応する前記記録データを生成する分配手段と、を少なくとも含むことを特徴とする請求項１に記載の記録装置。
【請求項４】
前記色変換手段は、前記吸引手段による吸引における吸引圧に基づいて、前記画像データを示す色信号と前記インク色データが示す色信号との対応関係を規定した複数の色変換テーブルの中から１つの前記色変換テーブルを選択し、選択された前記色変換テーブルを用いて前記インク色データを生成することを特徴とする請求項２または３に記載の記録装置。
【請求項５】
前記色変換手段は、（ｉ）前記吸引手段が前記第１の吸引圧で吸引を行う場合、前記複数の色変換テーブルのうちの第１の前記色変換テーブルを用いて前記インク色データを生成し、（ｉｉ）前記吸引手段が前記第２の吸引圧で吸引を行う場合、前記複数の色変換テーブルのうちの第２の前記色変換テーブルを用いて前記インク色データを生成し、
前記取得手段によって前記所定の画像データが取得された場合に、前記色変換手段によって前記第２の色変換テーブルを用いて生成される前記インク色データが示す色信号の値は、前記取得手段によって前記所定の画像データが取得された場合に、前記色変換手段によって前記第１の色変換テーブルを用いて生成される前記インク色データが示す色信号の値よりも大きいことを特徴とする請求項４に記載の記録装置。
【請求項６】
前記量子化手段は、前記吸引手段による吸引における吸引圧に基づいて、前記複数の画素領域それぞれに対するインクの吐出または非吐出を定めるための閾値が各画素に対して定められた複数のディザパターンの中から１つのディザパターンを選択し、選択された前記ディザパターンを用いて前記量子化データを生成することを特徴とする請求項２または３に記載の記録装置。
【請求項７】
前記量子化手段は、（ｉ）前記吸引手段が前記第１の吸引圧で吸引を行う場合、前記複数のディザパターンのうち、所定の値よりも小さい閾値が第１の数だけ定められた第１の前記ディザパターンを用いて前記量子化データを生成し、（ｉｉ）前記吸引手段が前記第２の吸引圧で吸引を行う場合、前記複数のディザパターンのうち、前記所定の値よりも低い閾値が前記第１の数よりも多い第２の数だけ定められた第２の前記ディザパターンを用いて前記量子化データを生成することを特徴とする請求項６に記載の記録装置。
【請求項８】
前記分配手段は、前記吸引手段による吸引における吸引圧に基づいて、インクの吐出の許容を定める記録許容画素とインクの吐出の非許容を定める非記録許容画素が配置された複数のマスクパターンの中から１つのマスクパターンを選択し、選択された前記マスクパターンを用いて前記記録データを生成することを特徴とする請求項２または３に記載の記録装置。
【請求項９】
前記分配手段は、（ｉ）前記吸引手段が前記第１の吸引圧で吸引を行う場合、前記複数のマスクパターンのうち、前記記録許容画素が合計で第３の数だけ配置された第１の前記マスクパターンを用いて前記記録データを生成し、（ｉｉ）前記吸引手段が前記第２の吸引圧で吸引を行う場合、前記複数のマスクパターンのうち、前記記録許容画素が合計で前記第３の数よりも多い第４の数だけ配置された第２の前記マスクパターンを用いて前記記録データを生成することを特徴とする請求項８に記載の記録装置。
【請求項１０】
前記記録媒体上の第１の面に対するインクの吐出量に関する情報を取得する第２の取得手段と、
前記第２の取得手段によって取得された前記情報に基づいて、前記制御手段によって前記第１の面に記録を行う場合における吸引圧を決定する決定手段と、を更に有し、
前記吸引手段は、前記決定手段によって決定された吸引圧で吸引を行うことを特徴とする請求項１から９のいずれか１項に記載の記録装置。
【請求項１１】
前記決定手段は、（ｉ）前記第２の取得手段によって取得された前記情報が示す前記第１の面への前記インクの吐出量が第１の量である場合、前記制御手段によって前記第１の面に記録を行う場合における吸引圧を前記第１の吸引圧に決定し、（ｉｉ）前記第２の取得手段によって取得された前記情報が示す前記第１の面への前記インクの吐出量が前記第１の量よりも多い第２の量である場合、前記制御手段によって前記第１の面に記録を行う場合における吸引圧を前記第２の吸引圧に決定することを特徴とする請求項１０に記載の記録装置。
【請求項１２】
前記第２の取得手段は、前記取得手段によって取得された前記画像データに基づいて、前記第１の面への前記インクの吐出量に関する情報を取得することを特徴とする請求項１０または１１に記載の記録装置。
【請求項１３】
前記第２の取得手段は、前記第１の面を複数に分割して構成される複数の分割領域それぞれに対する前記インクの吐出量のうちの最大の吐出量に関する情報を前記第１の面への前記インクの吐出量に関する前記情報として取得することを特徴とする請求項１０から１２のいずれか１項に記載の記録装置。
【請求項１４】
前記制御手段は、前記記録媒体上の前記第１の面に対してインクを吐出した後、前記記録媒体上の前記第１の面の裏である第２の面に対してインクを吐出するように、前記記録ユニットからのインクの吐出を制御し、
前記第２の取得手段は、前記記録媒体上の前記第２の面に対するインクの吐出量に関する情報を更に取得し、
前記決定手段は、（ｉ）前記第２の取得手段によって取得された前記情報が示す前記第１の面への前記インクの吐出量と前記第２の面への前記インクの吐出量の和が第３の量である場合、前記制御手段によって前記第２の面に記録を行う場合における吸引圧を前記第１の吸引圧に決定し、（ｉｉ）前記第２の取得手段によって取得された前記情報が示す前記第１の面への前記インクの吐出量と前記第２の面への前記インクの吐出量の和が前記第３の値よりも多い第４の値である場合、前記制御手段によって前記第２の面に記録を行う場合における吸引圧を前記第２の吸引圧に決定することを特徴とする請求項１０から１３のいずれか１項に記載の記録装置。
【請求項１５】
前記生成手段は、前記吸引手段による吸引における吸引圧が互い同じ強さであっても、第１の種類の前記記録媒体に記録を行う場合と、前記第１の種類と異なる第２の種類の前記記録媒体に記録を行う場合と、で前記記録データによって定められる前記インクの吐出量が互いに異なるように、前記記録データを生成することを特徴とする請求項１から１４のいずれか１項に記載の記録装置。
【請求項１６】
前記生成手段は、（ｉ）前記取得手段によって前記所定の画像データと異なる第２の画像データが取得され、且つ、前記吸引手段が前記第１の吸引圧で吸引を行う場合、前記記録データによって定められる前記インクの吐出量が第３の量となるように、前記記録データを生成し、且つ、（ｉｉ）前記取得手段によって前記第２の画像データが取得され、且つ、前記吸引手段が前記第２の吸引圧で吸引を行う場合、前記記録データによって定められる前記インクの吐出量が前記第３の量よりも多い第４の量となるように、前記記録データを生成することを特徴とする請求項１から１５のいずれか１項に記載の記録装置。
【請求項１７】
インクを吐出する記録ユニットと、記録媒体を支持するための支持部であって、少なくとも前記記録ユニットと対向する位置に吸引口が設けられた前記支持部と、を用いて記録を行う記録方法であって、
前記記録媒体を前記支持部上に吸着するために、複数通りの吸引圧で前記吸引口を介して吸引動作を実行可能な吸引工程と、
前記複数通りの吸引圧の中から１つの吸引圧を選択する選択工程と、
前記記録媒体上に記録する画像に対応する画像データを取得する取得工程と、
前記取得工程によって取得された前記画像データに基づいて、記録に用いる記録データを生成する生成工程と、
前記選択工程において選択された吸引圧での前記吸引動作により前記支持部上に吸着された記録媒体に対し、前記生成工程によって生成された前記記録データに基づいてインクを吐出するように、前記記録ユニットからのインクの吐出を制御する制御工程と、を有し、
前記生成工程は、（ｉ）前記選択工程において第１の吸引圧が選択された場合、前記記録データによって定められるインクの吐出量が第１の量となるように、前記記録データを生成し、（ｉｉ）前記選択工程において前記第１の吸引圧よりも強い第２の吸引圧が選択された場合、前記記録データによって定められるインクの吐出量が前記第１の量よりも多い第２の量となるように、前記記録データを生成することを特徴とする記録方法。
【請求項１８】
請求項１７に記載の記録方法を実行するために、記録装置のコンピュータを機能させることを特徴とするプログラム。
【発明の詳細な説明】
【技術分野】
【０００１】
本発明は、記録装置、記録方法およびプログラムに関する。
【背景技術】
【０００２】
インクを吐出する複数の吐出口を配列した吐出口列を有する記録ヘッドを用い、記録ヘッドを記録媒体上に対して走査方向に相対的に移動させながらインクの吐出を行うことで画像の記録を行う記録装置が知られている。
【０００３】
このような記録装置では、記録媒体にインクが浸透することに伴い記録媒体に波打ちが生じる、いわゆるコックリング現象が発生することが知られている。このようなコックリング現象が生じた場合、記録ヘッドと記録媒体の間の距離が短くなるため、インクの着弾位置ずれや記録ヘッド内の吐出口形成面への記録媒体のこすれ等が発生する虞がある。これに対し、記録媒体を支持するプラテンに空気を吸引するための吸引口を設け、記録時に吸引口を通して空気を吸引することによりプラテン上に記録媒体を吸着させ、コックリング現象の発生を抑制することが一般に知られている。
【０００４】
ここで、このコックリング現象による記録媒体の波打ちの程度は、記録媒体の種類や記録媒体に対するインクの吐出量に応じて異なるものとなる。このような異なる程度にて発生するコックリング現象に対応するため、特許文献１には、コックリング現象による波打ちの程度に応じて上述の吸引動作の際の吸引圧を異ならせることが記載されている。より詳細には、コックリング現象による波打ちの程度が比較的大きい場合には吸引動作の際の吸引圧を大きくし、記録媒体がプラテン上に吸着されやすいように制御すると記載されている。
【先行技術文献】
【特許文献】
【０００５】
【特許文献１】特開２００９−８３４８０号公報
【発明の概要】
【発明が解決しようとする課題】
【０００６】
しかしながら、特許文献１に記載された方法のように複数通りの吸引圧にて吸引動作を実行すると、強い吸引圧にて吸引動作を行った場合に記録される画像の濃度が低下してしまう虞があることがわかった。
【０００７】
図１（ａ）は弱い吸引圧による吸引動作を伴って記録媒体にインクを吐出した場合におけるインクの定着後の様子を示す記録媒体の断面図である。また、図１（ｂ）は強い吸引圧による吸引動作を伴って記録媒体にインクを吐出した場合におけるインクの定着後の様子を示す記録媒体の断面図である。なお、図１（ａ）、図１（ｂ）にはそれぞれＺ方向上流側から下流側に向かってほぼ同じ吐出量にてインクを吐出した際の様子を示している。また、図１（ａ）、（ｂ）にはそれぞれ記録媒体ＰのＺ方向下流側から吸引動作を実行した際の様子を示している。
【０００８】
吸引圧が弱い場合、図１（ａ）に示すように、インクに含まれる色材Ｒは記録媒体の表面近傍に集中して定着する。そのため、弱い吸引圧での吸引を伴ってある濃度の画像を記録した場合、所望の濃度とほぼ同程度の濃度の画像を再現することができる。
【０００９】
一方、吸引圧が強い場合には、図１（ｂ）に示すように、強い吸引圧によって色材が記録媒体内の深い領域まで引き込まれ、定着後には色材Ｑは記録媒体の深さ方向に分散することになる。記録媒体内の深い領域に定着した色材は記録媒体の表面から視認されにくくなるため、ほぼ同じ吐出量のインクを吐出したとしても、図１（ａ）に示す吸引圧が弱い場合における画像の濃度に比べて図１（ｂ）に示す吸引圧が強い場合における画像の濃度が低下してしまう虞がある。
【００１０】
本発明は上記の課題を鑑みて為されたものであり、その目的とするところは、選択された吸引圧での吸引動作により支持部材上に吸着された記録媒体に対しインクを吐出して記録を行う際、選択された吸引圧が強い吸引圧であっても吸引動作に伴う画像濃度の低下を抑制することにある。
【課題を解決するための手段】
【００１１】
そこで、本発明は、インクを吐出する記録ユニットと、記録媒体を支持するための支持部であって、少なくとも前記記録ユニットと対向する位置に吸引口が設けられた前記支持部と、前記記録媒体を前記支持部上に吸着するために、複数通りの吸引圧で前記吸引口を介して吸引動作を実行可能な吸引手段と、前記複数通りの吸引圧の中から１つの吸引圧を選択する選択手段と、前記記録媒体上に記録する画像に対応する画像データを取得する取得手段と、前記取得手段によって取得された前記画像データに基づいて、記録に用いる記録データを生成する生成手段と、前記選択手段により選択された吸引圧での前記吸引動作により前記支持部上に吸着された記録媒体に対し、前記生成手段によって生成された前記記録データに基づいてインクを吐出するように、前記記録ユニットからのインクの吐出を制御する制御手段と、を有する記録装置であって、前記生成手段は、（ｉ）前記選択手段により第１の吸引圧が選択された場合、前記記録データによって定められるインクの吐出量が第１の量となるように、前記記録データを生成し、（ｉｉ）前記選択手段により前記第１の吸引圧よりも強い第２の吸引圧が選択された場合、前記記録データによって定められるインクの吐出量が前記第１の量よりも多い第２の量となるように、前記記録データを生成することを特徴とする。
【発明の効果】
【００１２】
本発明によれば、選択された吸引圧での吸引動作により支持部材上に吸着された記録媒体に対しインクを吐出して記録を行う際、選択された吸引圧が強い吸引圧であっても吸引動作に伴う画像濃度の低下を抑制することが可能となる。
【図面の簡単な説明】
【００１３】
【図１】吸引圧に応じた画像の濃度変化を説明するための模式図である。
【図２】実施形態に係る記録装置の内部構成を示す模式図である。
【図３】実施形態に係る記録ヘッドの模式図である。
【図４】実施形態に係る記録制御系を説明するための図である。
【図５】実施形態に係る画像処理の過程を示すフローチャートである。
【図６】実施形態で用いる色変換テーブルを示す模式図である。
【図７】実施形態で用いるディザパターンを示す模式図である。
【図８】実施形態で用いるマスクパターンを示す模式図である。
【図９】実施形態に係るインク吐出量情報の算出過程を示すフローチャートである。
【図１０】インク吐出量情報と吸引圧の対応関係を規定するテーブルである。
【図１１】吸引圧と色変換テーブルの対応関係を規定するテーブルである。
【図１２】実施形態で用いる色変換テーブルを示す模式図である。
【図１３】実施形態で用いる色変換テーブルを示す模式図である。
【図１４】吸引圧、記録媒体、色変換テーブルの対応関係を規定するテーブルである。
【図１５】実施形態に係るインク吐出量情報の算出過程を示すフローチャートである。
【図１６】インク吐出量情報と吸引圧の対応関係を規定するテーブルである。
【図１７】実施形態で用いるディザパターンを示す模式図である。
【図１８】実施形態で用いるマスクパターンを示す模式図である。
【発明を実施するための形態】
【００１４】
（第１の実施形態）
以下に図面を参照し、本発明の第１の実施形態を詳細に説明する。
【００１５】
図２は本実施形態に係るインクジェット記録装置１００の内部構成を部分的に示す模式図である。
【００１６】
本実施形態のインクジェット記録装置（以下、プリンタ、記録装置とも称する）１００は、記録ヘッド１０１〜１０４から構成される複数色のインクを吐出するための記録ユニットを備えている。ここで、記録ヘッド１０１はブラックインク（Ｋインク）を、記録ヘッド１０２はシアンインク（Ｃインク）を、記録ヘッド１０３はマゼンタインク（Ｍインク）を、記録ヘッド１０４はイエローインク（Ｙインク）をそれぞれ吐出するためのものである。また、記録ヘッド１０１〜１０４は、それぞれのＹ方向（所定方向）における長さが記録媒体１０６のＹ方向における幅よりも長くなるように形成されている。本実施形態における記録ユニットは、これらの記録ヘッド１０１〜１０４がＸ方向（交差方向）に並ぶことにより構成される。
【００１７】
また、記録装置１００には記録媒体１０６を支持するためのプラテン（支持部）１０７が設けられている。プラテン１０７には複数の吸引口１０８が形成されており、この複数の吸引口１０８は１つの吸引ポンプ（後述）に連通されている。この吸引ポンプによって吸引口１０８を介して空気を吸引することにより、記録時に記録媒体１０６をプラテン１０７上に吸着させることができる。
【００１８】
記録媒体１０６は、搬送ローラ１０５（および他の不図示のローラ）が搬送モータ（後述）の駆動力によって回転することによりＸ方向に搬送（移動）される。この記録媒体１０６をＸ方向への搬送（移動）することによって、記録ユニットをＸ方向に走査させた場合とほぼ同様の効果を得ることができる。
【００１９】
そして、上述した吸引動作および搬送動作が行われている間に、記録ヘッド１０１〜１０４それぞれに配列された複数の吐出口（以下、ノズルとも称する）から、後述する記録データに従ってインクの吐出動作が行われる。これにより、記録媒体１０６に対する１回の記録ヘッドのＸ方向への相対的な走査にて記録媒体１０６上に画像が形成される。
【００２０】
図３（ａ）は、本実施形態に係るブラックインクを吐出するための記録ヘッド１０１の詳細な構成を示す模式図である。記録ヘッド１０１は、後述する複数の吐出口列（以下、ノズル列とも称する）を有する１８個の記録素子基板２０１〜２１８がＹ方向に沿って千鳥状に配置されることにより構成される。これにより、記録ヘッド１０１のＹ方向における長さは記録媒体１０６のＹ方向における幅よりも長尺なものとなっている。ここで、記録素子基板２０１〜２１８のうちのＹ方向に互いに隣接する位置に配置された２つの記録素子基板は、一方の記録素子基板のＹ方向における端部領域と他方の記録素子基板のＹ方向における端部領域がＹ方向に同じ位置となるように設けられている。例えば、記録素子基板２０１、２０２に関しては、記録素子基板２０１のＹ方向における一方の端部領域２０１ｐと、記録素子基板２０２のＹ方向における他方の端部領域２０２ｑと、がＹ方向に同じとなるような位置に配置されている。
【００２１】
なお、本実施形態に適用可能な記録ヘッドは図３（ａ）に示すような複数の記録素子基板をＹ方向に沿って配置したものに限られない。例えば、記録媒体１０６の幅以上の長さを有する吐出口列を持ったひとつの記録素子基板から構成された記録ヘッドであっても良い。
【００２２】
図３（ｂ）は、本実施形態に係る図３（ａ）に示す記録素子基板２０１の詳細な構成を示す模式図である。記録素子基板２０１には、それぞれブラックインクを吐出する吐出口がＹ方向に１２００ｄｐｉの解像度（１／１２００インチの間隔）相当で配列された、８個の吐出口列２０１ａ、２０１ｂ、２０１ｃ、２０１ｄ、２０１ｅ、２０１ｆ、２０１ｇ、２０１ｈがＸ方向に並んで配置されている。なお、若干の製造誤差があっても実質的に同じ程度の間隔で並んでいれば、多少吐出口列間の間隔が異なるような形態であっても良い。
【００２３】
なお、ここではブラックインクを吐出する記録ヘッド１０１について説明したが、記録ヘッド１０２〜１０４もほぼ同様の構成である。
【００２４】
図４は、本実施形態における制御系の概略構成を示すブロック図である。記録装置内の主制御部３００は、演算、選択、判別、制御などの処理動作を実行するＣＰＵ３０１と、ＣＰＵ３０１によって実行すべき各種の制御プログラム等を格納するＲＯＭ３０２と、記録データのバッファ等として用いられるＲＡＭ３０３、および入出力ポート３０４等を備えている。メモリ３１３には、後述する画像データ、色変換テーブル、ディザパターン、マスクパターン等が格納されている。そして、入出力ポート３０４には、搬送モータ（ＬＦモータ）３０９、記録ヘッド１０１〜１０４及び吸引ポンプ１９におけるアクチュエータなどの各駆動回路３０５、３０７、３０８が接続されている。さらに、主制御部３００はインターフェイス回路３１１を介してホストコンピュータであるＰＣ３１２に接続されている。
【００２５】
（データの処理過程）
図５は本実施形態における制御プログラムにしたがってＣＰＵ３０１が実行する画像処理の過程を示すフローチャートである。なお、この制御プログラムは上述のようにＲＯＭ３０２に予め格納されている。
【００２６】
記録処理が開始されると、まず、記録装置１００は輝度に関する色信号であるＲ（レッド）信号、Ｇ（グリーン）信号、Ｂ（ブルー）信号によって示される画像データを取得する（ステップＳ５３１）。なお、本実施形態では画像データは解像度６００ｄｐｉでＲＧＢ各８ｂｉｔ２５６階調のデータである。
【００２７】
次に、画像データをメモリ３１３に格納された色変換テーブルを用いて変換することにより、インクの色に関する色信号であるＣ（シアン）信号、Ｍ（マゼンタ）信号、Ｙ（イエロー）信号、Ｋ（ブラック）信号によって示されるインク色データを生成する（ステップＳ５３２）。ここで、インク色データは解像度６００ｄｐｉでＣＭＹＫ各色８ｂｉｔ２５６階調のデータである。
【００２８】
図６は本実施形態で用いる色変換テーブルの一例を示す図である。ここで、画像データを示すＲ信号、Ｇ信号、Ｂ信号はそれぞれ２５６階調で表されるため、本実施形態で用いる色変換テーブルは画像データを示すＲ信号、Ｇ信号、Ｂ信号とインク色データを示すＣ信号、Ｍ信号、Ｙ信号、Ｋ信号との対応関係を１６７７７２１６（＝２５６＾３）通り規定している。つまり、画像データを示し得るＲ信号、Ｇ信号、Ｂ信号の１６７７７２１６通りの組み合わせのいずれの画像データが入力された場合であっても、１通りのＣ信号、Ｍ信号、Ｙ信号、Ｋ信号に変換することができる。しかしながら、図６に示す色変換テーブルでは簡単のため、上述の１６７７７２１６通りのＲ信号、Ｇ信号、Ｂ信号とＣ信号、Ｍ信号、Ｙ信号、Ｋ信号の対応関係のうちの一部の対応関係のみを記載している。
【００２９】
ここで、図６に示す色変換テーブルでは、色変換処理前の画像データによって再現される色と色変換処理後のインク色データによって再現される色がほぼ同じ色となるように、画像データを示すＲ信号、Ｇ信号、Ｂ信号とインク色データを示すＣ信号、Ｍ信号、Ｙ信号、Ｋ信号の対応関係を規定している。
【００３０】
図６に示す色変換テーブルの詳細について以下に説明する。なお、以下の説明では簡単のため、Ｒ信号の値がｒ、Ｇ信号の値がｇ、Ｂ信号の値がｂであるとき、Ｒ信号、Ｇ信号、Ｂ信号それぞれの値を（Ｒ、Ｇ、Ｂ）＝（ｒ、ｇ、ｂ）として記載する、同様に、Ｃ信号の値がｃ、Ｍ信号の値がｍ、Ｙ信号の値がｙ、Ｋ信号の値がｋであるとき、Ｃ信号、Ｍ信号、Ｙ信号、Ｋ信号それぞれの値を（Ｃ、Ｍ、Ｙ、Ｋ）＝（ｃ、ｍ、ｙ、ｋ）として記載する。
【００３１】
画像データが（Ｒ、Ｇ、Ｂ）＝（０、０、０）である場合、当該画像データによって再現される色は黒色となる。したがって、図６に示す色変換テーブルでは、（Ｒ、Ｇ、Ｂ）＝（０、０、０）の画像データが入力された場合には（Ｃ、Ｍ、Ｙ、Ｋ）＝（０、０、０、２５５）のインク色データが生成されるように、画像データとインク色データの対応関係が規定されている。
【００３２】
また、画像データが（Ｒ、Ｇ、Ｂ）＝（２５５、２５５、２５５）である場合、当該画像データによって再現される色は白色となる。したがって、図６に示す色変換テーブルでは、（Ｒ、Ｇ、Ｂ）＝（２５５、２５５、２５５）の画像データが入力された場合には（Ｃ、Ｍ、Ｙ、Ｋ）＝（０、０、０、０）のインク色データが生成されるように、画像データとインク色データの対応関係が規定されている。
【００３３】
また、画像データが（Ｒ、Ｇ、Ｂ）＝（０、０、１２５）である場合、当該画像データによって再現される色は濃い青色となる。ここで、青色（ブルー）はシアンとマゼンタの混色によって再現される色であり、シアンとマゼンタの混色に対してブラックを多く加えるほど青色は濃いものとなる。したがって、図６に示す色変換テーブルでは、（Ｒ、Ｇ、Ｂ）＝（０、０、１２５）の画像データが入力された場合には（Ｃ、Ｍ、Ｙ、Ｋ）＝（１６９、１８１、０、３６）のインク色データが生成されるように、画像データとインク色データの対応関係が規定されている。
【００３４】
更に、画像データが（Ｒ、Ｇ、Ｂ）＝（０、０、１３０）である場合、当該画像データによって再現される色は、（Ｒ、Ｇ、Ｂ）＝（０、０、１２５）である場合に比べてやや薄い青色となる。したがって、図６に示す色変換テーブルでは（Ｒ、Ｇ、Ｂ）＝（０、０、１３０）の画像データが入力された場合には（Ｃ、Ｍ、Ｙ、Ｋ）＝（１６６、１７８、０、２９）のインク色データが生成されるように、画像データとインク色データの対応関係が規定されている。ここで生成される（Ｃ、Ｍ、Ｙ、Ｋ）＝（１６６、１７８、０、２９）のインク色データは、上述した（Ｃ、Ｍ、Ｙ、Ｋ）＝（１６９、１８１、０、３６）のインク色データに比べてＫ信号の値が小さくなっていることがわかる。
【００３５】
ここでは（Ｒ、Ｇ、Ｂ）＝（０、０、０）、（２５５、２５５、２５５）、（０、０、１２５）、（０、０、１３０）の画像データにおけるインク色データとの対応関係について記載したが、他の画像データにおいても同様にして色変換処理前の画像データによって再現される色と色変換処理後のインク色データによって再現される色がほぼ同じ色となるように、画像データとインク色データの対応関係が規定されている。
【００３６】
このように、図６に示す色変換テーブルを用いることにより、取得されたＲ信号、Ｇ信号、Ｂ信号によって示される画像データをＣ信号、Ｍ信号、Ｙ信号、Ｋ信号によって示されるインク色データに変換することができる。
【００３７】
次に、インク色データにメモリ３１３に格納されたディザパターンを用いて量子化（２値化）を行い、各画素領域に対する各インクの吐出または非吐出を定める量子化データを生成する（ステップＳ５３３）。したがって、量子化データは６００ｄｐｉでＣＭＹＫ各色１ｂｉｔ２階調のデータとなる。
【００３８】
図７は本実施形態で用いるディザパターンの一例を示す図である。なお、ここではＣＭＹＫ各色に対応するインク色データのうち、ブラック（Ｋ）に対応するインク色データに対して適用するブラックインク用のディザパターンを示している。また、ここでは簡単のため、Ｘ方向に８画素、Ｙ方向に８画素の合計６４個の画素からなる画素群と同じ大きさを有するディザパターンを示している。そして、本実施形態ではインク色データに対してこのディザパターンをＸ方向およびＹ方向に繰り返し適用することで量子化処理を行う。
【００３９】
図７に示すように、ディザパターン内の各画素にはインクの吐出または非吐出を定める閾値が定められている。なお、量子化処理を行う前のインク色データは０〜２５５の２５６階調で表されるため、ディザパターンには１〜２５４のいずれかの閾値を定められている。ここで、図７に示すディザパターンは、量子化処理前のインク色データが示すインクの吐出量と、量子化処理後の量子化データが示すインクの吐出量と、がほぼ同じとなるように、各画素に対する閾値が定められている。
【００４０】
量子化処理の詳細としては、ある画素においてインク色データが示す色信号の値がその画素においてディザパターンによって定められた閾値よりも大きい場合、その画素に対してはインクの吐出を定める量子化データを生成する。一方、ある画素においてインク色データが示す色信号の値がその画素においてディザパターンによって定められた閾値よりも小さい場合、その画素に対してはインクの非吐出を定める量子化データを生成する。
【００４１】
各画素において上述のインク色データが示す色信号の値とディザパターンによって定められた閾値の比較を行うことにより、１ｂｉｔ２値の量子化データを生成することができる。
【００４２】
なお、ここでは量子化処理としてディザパターンを用いるディザ法を実行する形態について記載したが、誤差拡散法等、他の方法によって量子化処理を実行しても良い。
【００４３】
次に、量子化データにメモリ３１３に格納されたマスクパターンを用いることにより量子化データを各インクを吐出する複数の吐出口列に分配し、記録に用いる記録データを生成する（ステップＳ５３４）。
【００４４】
図８は本実施形態で用いるマスクパターンの一例を示す図である。なお、ここではＣＭＹＫ各色のインクに対応する量子化データのうち、ブラック（Ｋ）に対応する量子化データに対して適用するブラックインク用のマスクパターンを示している。また、図８（ａ）〜（ｈ）にはそれぞれ吐出口列２０１ａ〜２０１ｈに量子化データを分配するためのマスクパターンを示している。また、ここでは上述したディザパターンと同様に、Ｘ方向に８画素、Ｙ方向に８画素の合計６４個の画素からなる画素群と同じ大きさを有するマスクパターンを示している。そして、本実施形態では量子化データに対してこれらのマスクパターンをＸ方向およびＹ方向に繰り返し適用して分配処理を実行する。
【００４５】
図８に示すように、それぞれのマスクパターンには、インクの吐出の許容を定める記録許容画素とインクの吐出の非許容を定める非記録許容画素が配置されている。ここで、図８（ａ）〜（ｈ）に示すマスクパターンのうち、黒く塗り潰された画素が記録許容画素を、白抜けで示された画素が非記録許容画素をそれぞれ示している。
【００４６】
分配処理の詳細としては、ある画素において量子化データによってインクの吐出が定められている場合、その画素が特定の吐出口列に対応するマスクパターンにおいて記録許容画素に対応していると、特定の吐出口列からその画素に対してインクの吐出を定める記録データを生成する。一方、その画素が特定の吐出口列に対応するマスクパターンにおいて非記録許容画素に対応していると、特定の吐出口列からその画素に対してインクの非吐出を定める記録データを生成する。なお、ある画素において量子化データによってインクの非吐出が定められている場合には、その画素がマスクパターンにおいて記録許容画素と非記録許容画素のどちらに対応していたとしても、その画素に対してインクの非吐出を定める記録データを生成することになる。
【００４７】
図８（ａ）〜（ｈ）に示すマスクパターンでは、記録許容画素が互いに排他的かつ補完的な関係となるように配置されている。したがって、マスクパターンの大きさに対応する画素の数に対する、図８（ａ）〜（ｈ）に示すマスクパターンに配置された記録許容画素の数の合計の比率は１００（＝６４／６４×１００）％となる。すなわち、図８に示すマスクパターンは、分配処理前の量子化データが示すインクの吐出量と、分配処理後の記録データが示すインクの吐出量と、がほぼ同じになるように記録許容画素が配置されていることになる。
【００４８】
各画素において上述のような量子化データと各吐出口列に対応するマスクパターンの比較を行うことにより、各吐出口列から各画素に対してインクの吐出または非吐出を定める記録データを生成することができる。
【００４９】
本実施形態では、上述したような画像処理を行うことにより、輝度に関する色信号によって定められた画像データから記録に用いる記録データを生成する。
【００５０】
（複数の吸引圧による吸引動作）
本実施形態では記録動作を実行する際、予め定められた複数通りの吸引圧のうちのいずれか１つの吸引圧を選択し、その吸引圧にて吸引ポンプから空気を吸引して記録媒体をプラテン上（支持部上）に吸着させる。この吸引動作について以下に詳細に説明する。
【００５１】
本実施形態では、記録媒体上に対するインクの吐出量に応じて吸引動作実行時の吸引圧を決定する。
【００５２】
記録媒体上の局所的な領域におけるインクの吐出量が多いほど、インクが付与された後に生じる記録媒体のコックリング現象による波打ちの程度（以下、コックリングの程度とも称する）は大きくなる。そのため、本実施形態では記録媒体上に対するインクの吐出量に関する情報を算出し、その情報に基づいて吸引圧を決める。
【００５３】
ここで、上述のように記録媒体のコックリングは記録媒体上の局所領域におけるインク吐出量に依存する。そのため本実施形態では記録媒体をＸ方向およびＹ方向に複数に分割し、その分割された分割領域ごとにインクの吐出量に関する情報を取得する。そして、分割領域ごとに取得されたインクの吐出量に関する情報のうち、最大の吐出量に関する情報を上述の記録媒体上に対するインクの吐出量に関する情報として用いる。インクの吐出量が最大となる分割領域においてコックリングの程度は最も大きくなるため、そのような分割領域であってもコックリングを抑制できるように、最大の吐出量を吸引圧を決定するための値として用いるのである。
【００５４】
図９は本実施形態における制御プログラムにしたがってＣＰＵ３０１が実行する記録媒体上に対するインクの吐出量に関する情報の算出過程を示すフローチャートである。なお、この制御プログラムは上述のようにＲＯＭ３０２に格納されている。
【００５５】
まず、各分割領域内にある複数の画素相当の画素領域それぞれにおいて画像データが示す輝度に関する色信号であるＲ信号の値、Ｇ信号の値、Ｂ信号の値であるＲＧＢ値を取得する（Ｓ１１）。なお、分割領域のサイズと数は適宜異なるものにすることができるが、ここでは一例としてＡ４サイズの記録媒体をＸ方向に４分割、Ｙ方向に８分割した合計３２個の領域を分割領域とする場合について記載する。
【００５６】
次に、各分割領域において、分割領域内にある複数の画素領域のＲ信号の値の平均Ｒ＿Ａｖｅを算出する（Ｓ１２）。これにより、分割領域の数だけＲ信号の値の平均Ｒ＿Ａｖｅが取得されることになる。同様にして分割領域内のＧ信号の値の平均Ｇ＿Ａｖｅ、Ｂ信号の値の平均Ｂ＿Ａｖｅも算出する。
【００５７】
次に、各分割領域において、Ｒ信号の値の平均Ｒ＿Ａｖｅ、Ｇ信号の値の平均Ｇ＿Ａｖｅ、Ｂ信号の値の平均Ｂ＿Ａｖｅの合計であるＲＧＢ＿Ｔｏｔａｌを算出する（Ｓ１３）。これにより、分割領域の数だけＲＧＢ値の平均の合計ＲＧＢ＿Ｔｏｔａｌが取得されることになる。
【００５８】
ここで、一般にＲＧＢ値の合計が大きい場合、上述した色変換処理をした後にはＣＭＹＫ値の合計が小さい、すなわちインクの吐出量が少なくなるようなインク色データが生成される。したがって、ある分割領域におけるＲＧＢ値の平均の合計ＲＧＢ＿Ｔｏｔａｌが大きい場合、その分割領域に対してはインクの吐出量が少なくなることになる。同様に、ある分割領域におけるＲＧＢ値の平均の合計ＲＧＢ＿Ｔｏｔａｌが小さい場合には、その分割領域に対するインクの吐出量は多くなる。このように、ＲＧＢ値の平均の合計ＲＧＢ＿Ｔｏｔａｌを参照することにより、おおよそのインクの吐出量を評価することができる。
【００５９】
そして、それぞれの分割領域におけるＲＧＢ値の平均の合計ＲＧＢ＿Ｔｏｔａｌのうちの最小値ＲＧＢ＿Ｔｏｔａｌ＿Ｍｉｎを算出する（Ｓ１４）。
【００６０】
上述のように、ある分割領域におけるＲＧＢ値の平均の合計ＲＧＢ＿Ｔｏｔａｌの値が小さいほど、その分割領域に対するインクの吐出量は多くなる。したがって、複数の分割領域のうちのＲＧＢ値の平均の合計ＲＧＢ＿Ｔｏｔａｌが最も小さい分割領域がインクの吐出量が最も多い領域、すなわちコックリングが最も顕著に生じる領域となる。したがって、この最小値ＲＧＢ＿Ｔｏｔａｌ＿Ｍｉｎに基づいて吸引圧を決定することにより、コックリングが最も顕著に生じる領域であっても記録媒体をプラテン上に好適に吸着させることができるのである。
【００６１】
以上の理由から、本実施形態では図９に示すフローチャートにしたがって算出された最小値ＲＧＢ＿Ｔｏｔａｌ＿Ｍｉｎを記録媒体上に対するインクの吐出量に関する情報として用いる。
【００６２】
図１０は本実施形態で用いる最小値ＲＧＢ＿Ｔｏｔａｌ＿Ｍｉｎと吸引圧の対応関係を規定したテーブルである。
【００６３】
上述したように、最小値ＲＧＢ＿Ｔｏｔａｌ＿Ｍｉｎが小さい（０以上２５５以下である）場合、ある分割領域に対するインクの吐出量は多くなるため、その分割領域におけるコックリングを低減するために吸引圧を７ｋＰａと比較的強く設定する。
【００６４】
一方、最小値ＲＧＢ＿Ｔｏｔａｌ＿Ｍｉｎが大きい（５１１以上７６５以下である）場合、インクの吐出量が多くなっている分割領域は存在しないと考えられる。したがって、記録媒体にコックリングが発生する可能性は小さい。コックリングが発生していない際に吸引圧を強く設定すると、吸引ポンプを不要に駆動するため消費電力の増大に繋がってしまう。更に、記録媒体に対して不要に強い吸引圧をかけるため、記録媒体に徒にダメージを与えてしまう虞がある。したがって、本実施形態では最小値ＲＧＢ＿Ｔｏｔａｌ＿Ｍｉｎが大きい場合には、吸引圧を１ｋＰａと比較的弱く設定する。
【００６５】
なお、最小値ＲＧＢ＿Ｔｏｔａｌ＿Ｍｉｎが中程度である（２５６以上５１０以下である）場合には、ある分割領域において発生するコックリングの程度もまた中程度となる。したがって、吸引圧も４ｋＰａと中程度の値に設定する。
【００６６】
以上のようにして設定された吸引圧によって吸引ポンプによる吸引を行うことにより、コックリングの程度によらず記録媒体をプラテン上に好適に吸着することができる。
【００６７】
（吸引圧に応じた色変換処理）
図１（ａ）、（ｂ）を用いて説明したように、同じ値のＲ信号、Ｇ信号、Ｂ信号を有する画像データが入力された場合であっても、強い吸引圧での吸引動作を伴って記録された画像の濃度が弱い吸引圧での吸引動作を伴って記録された画像の濃度に比べて低下してしまう虞がある。
【００６８】
したがって、本実施形態では、吸引動作時の吸引圧に応じて図５のステップＳ５３２で用いる色変換テーブルを切り替えて色変換処理を行う。詳細には、強い吸引圧で吸引動作を行う場合には、弱い吸引圧で吸引動作を行う場合に比べてインクの吐出量が多くなるように色変換を行うことが可能な色変換テーブルを選択する。
【００６９】
図１１は本実施形態で用いる吸引動作時の吸引圧と選択する色変換テーブルの対応関係を規定したテーブルである。図１１からわかるように、本実施形態では７ｋＰａと強い吸引圧で吸引動作を実行する際には後述する色変換テーブルＬＵＴ−１を選択し、色変換テーブルＬＵＴ−１を用いてステップＳ５３２における色変換処理を実行する。また、４ｋＰａと中程度の吸引圧で吸引動作を実行する際には後述する色変換テーブルＬＵＴ−２を選択し、色変換テーブルＬＵＴ−２を用いてステップＳ５３２における色変換処理を実行する。そして、１ｋＰａと弱い吸引圧で吸引動作を実行する際には色変換テーブルＬＵＴ−３を用いてステップＳ５３２における色変換処理を実行する。ここで、本実施形態では、色変換テーブルＬＵＴ−３として図６に示した色変換テーブルを用いる。
【００７０】
色変換テーブルＬＵＴ−１と色変換テーブルＬＵＴ−２について以下に詳細に説明する。
【００７１】
図１２は強い吸引圧での吸引動作時に用いる色変換テーブルＬＵＴ−１を示す図である。また、図１３は中程度の吸引圧での吸引動作時に用いる色変換テーブルＬＵＴ−２を示す図である。
【００７２】
上述のように、同じ値のＲ信号、Ｇ信号、Ｂ信号の画像データが入力された場合であっても、強い吸引圧での吸引動作を伴って記録された画像は弱い吸引圧での吸引動作を伴って記録された画像に比べて濃度が低下してしまう。したがって、図１２に示す強い吸引圧での吸引動作時に用いる色変換テーブルＬＵＴ−１は、図６に示す弱い吸引圧での吸引動作時に用いる色変換テーブルＬＵＴ−３に比べて色変換処理後のインク色データが示す色信号の値が大きくなるように、画像データとインク色データの対応関係が規定されている。そのため、図１２に示す色変換テーブルＬＵＴ−１を用いて色変換処理を行った場合、図６に示す色変換テーブルＬＵＴ−３を用いた場合に比べてＣインク、Ｍインク、Ｙインク、Ｋインクの吐出量の合計を多くすることができるため、濃度の低下を抑制することができるのである。
【００７３】
また、中程度の吸引圧での吸引動作を伴って記録された画像は、弱い吸引圧での吸引動作を伴って記録された画像よりは濃度が低く、強い吸引圧での吸引動作を伴って記録された画像よりは濃度が高くなる。したがって、図１３に示す中程度の吸引圧での吸引動作時に用いる色変換テーブルＬＵＴ−２は、図６に示す弱い吸引圧での吸引動作時に用いる色変換テーブルＬＵＴ−３に比べると色変換処理後のインク色データが示す色信号の値が大きく、且つ、図１２に示す強い吸引圧での吸引動作時に用いる色変換テーブルＬＵＴ−１に比べると色変換処理後のインク色データが示す色信号の値が小さくなるように、画像データとインク色データの対応関係が規定されている。
【００７４】
詳細には、例えば（Ｒ、Ｇ、Ｂ）＝（０、０、１２５）の画像データが入力された場合、図６に示す色変換テーブルＬＵＴ−３を用いた際には（Ｃ、Ｍ、Ｙ、Ｋ）＝（１６９、１８１、０、３６）のインク色データが生成されるのに対し、図１２に示す色変換テーブルＬＵＴ−１を用いた際には（Ｃ、Ｍ、Ｙ、Ｋ）＝（２０２、２１４、０、７４）のインク色データが、図１３に示す色変換テーブルＬＵＴ−２を用いた際には（Ｃ、Ｍ、Ｙ、Ｋ）＝（１８５、１９３、０、５２）のインク色データが生成されることになる。
【００７５】
このように、（Ｒ、Ｇ、Ｂ）＝（０、０、１２５）の画像データが入力されると、図６に示す色変換テーブルＬＵＴ−３に比べて図１３に示す色変換テーブルＬＵＴ−２を用いた方がＣインク、Ｍインク、Ｙインク、Ｋインクの吐出量の合計が多くなるように、インク色データを生成可能であることがわかる。また、図１３に示す色変換テーブルＬＵＴ−２に比べて図１２に示す色変換テーブルＬＵＴ−１を用いた方がＣインク、Ｍインク、Ｙインク、Ｋインクの吐出量の合計が更に多くなるように、インク色データを生成可能であることもわかる。
【００７６】
また、（Ｒ、Ｇ、Ｂ）＝（１０２、５１、１２５）の画像データが入力された場合、図６に示す色変換テーブルＬＵＴ−３を用いた際には（Ｃ、Ｍ、Ｙ、Ｋ）＝（６２、１３４、４８、０）のインク色データが生成されるのに対し、図１２に示す色変換テーブルＬＵＴ−１を用いた際には（Ｃ、Ｍ、Ｙ、Ｋ）＝（１０１、１６６、７９、０）のインク色データが、図１３に示す色変換テーブルＬＵＴ−２を用いた際には（Ｃ、Ｍ、Ｙ、Ｋ）＝（７６、１４９、６１、０）のインク色データが生成される。
【００７７】
更に、（Ｒ、Ｇ、Ｂ）＝（２５５、２５５、１２５）の画像データが入力された場合、図６に示す色変換テーブルＬＵＴ−３を用いた際には（Ｃ、Ｍ、Ｙ、Ｋ）＝（０、０、４６、０）のインク色データが生成されるのに対し、図１２に示す色変換テーブルＬＵＴ−１を用いた際には（Ｃ、Ｍ、Ｙ、Ｋ）＝（０、０、７７、０）のインク色データが、図１３に示す色変換テーブルＬＵＴ−２を用いた際には（Ｃ、Ｍ、Ｙ、Ｋ）＝（０、０、５９、０）のインク色データが生成される。
【００７８】
このように、（Ｒ、Ｇ、Ｂ）＝（１０２、５１、１２５）の画像データや（Ｒ、Ｇ、Ｂ）＝（２５５、２５５、１２５）の画像データが入力された場合であっても、色変換テーブルＬＵＴ−１、ＬＵＴ−２、ＬＵＴ−３を適用することにより、（Ｒ、Ｇ、Ｂ）＝（０、０、１２５）の画像データが入力された場合と同様にＣインク、Ｍインク、Ｙインク、Ｋインクの吐出量の合計を調整することができる。
【００７９】
以上記載したように、本実施形態によれば、強い吸引圧での吸引動作を行いながら記録を行う際、インク色データを示す色信号の値が画像データを示す色信号の値よりも大きくなるように色変換処理を行う。更に、本実施形態では、吸引動作時の吸引圧が強いほどインク色データを示す色信号の値と画像データを示す色信号の値の差分が大きくなるように色変換処理を行う。これにより、吸引動作時の吸引圧が強いほど色変換処理後のインク色データを示す色信号の値を大きくする、すなわちインクの吐出量を多くすることができるため、強い吸引圧での吸引動作に起因する画像の濃度低下を抑制した記録を行うことが可能となる。
【００８０】
なお、図６、図１２、図１３に示す色変換テーブルＬＵＴ−１、ＬＵＴ−２、ＬＵＴ−３には（Ｒ、Ｇ、Ｂ）＝（０、０、０）の画像データおよび（Ｒ、Ｇ、Ｂ）＝（２５５、２５５、２５５）の画像データ以外のすべての画像データが入力された場合、色変換テーブルＬＵＴ−３を用いるよりも色変換テーブルＬＵＴ−２を用いる方が吐出量の合計が多く、色変換テーブルＬＵＴ−２を用いるよりも色変換テーブルＬＵＴ−１を用いる方が吐出量の合計が更に多くなる形態について記載した。このように、必ずしも画像データのＲ信号、Ｇ信号、Ｂ信号のすべての組み合わせにおいて色変換テーブルＬＵＴ−２を用いた場合における吐出量の合計が色変換テーブルＬＵＴ−３を用いた場合における吐出量の合計よりも多くなっていなくとも良い。実際にはある程度のＲ信号、Ｇ信号、Ｂ信号の組み合わせにおいて色変換テーブルＬＵＴ−２を用いた場合における吐出量の合計が色変換テーブルＬＵＴ−３を用いた場合における吐出量の合計よりも多くなるように、画像データとインク色データの対応関係が規定された色変換テーブルＬＵＴ−２、ＬＵＴ−３を用いれば良い。ここで、インクの吐出量が少ない場合、インクの吐出量を多くすることにより吸引動作に由来する濃度低下を抑制する効果を特に顕著に得られる。そのため、Ｒ信号、Ｇ信号、Ｂ信号の値が比較的大きい組み合わせにおいて色変換テーブルＬＵＴ−２を用いた場合における吐出量の合計が色変換テーブルＬＵＴ−３を用いた場合における吐出量の合計よりも多くなるように画像データとインク色データの対応関係が定められていることが特に好ましい。色変換テーブルＬＵＴ−１と色変換テーブルＬＵＴ−２についても同様である。
【００８１】
（第２の実施形態）
上述した第１の実施形態では、吸引圧のみに応じて色変換テーブルを選択する形態について記載した。
【００８２】
これに対し、本実施形態では、吸引圧と記録媒体の種類に応じて色変換テーブルを選択する形態について記載する。
【００８３】
なお、上述した第１の実施形態と同様の部分については説明を省略する。
【００８４】
同じ吸引圧で吸引動作を行う場合であっても、記録する記録媒体の種類によってインク定着時の色材の深さ方向への分散の程度は異なるものとなる。例えば、透気抵抗度が低い、すなわち空気を通しやすい記録媒体では吸引動作による色材の浸透の影響が強くなるため、記録画像の濃度低下はより顕著なものとなる。特に、発明者らの検討によれば、塗工紙に比べると非塗工紙の方が透気抵抗度も低いため、記録媒体が非塗工紙である場合に強い吸引圧で吸引動作を行った際の濃度低下の影響が大きくなることがわかった。一方、塗工紙においては強い吸引圧による吸引動作を伴って記録した場合であってもそれ程顕著に濃度が低下することはなかった。
【００８５】
以上の点を鑑み、本実施形態では、吸引圧に加え、記録媒体の種類も鑑みて色変換テーブルを選択する。
【００８６】
図１４は本実施形態で用いる吸引動作時の吸引圧および記録媒体の種類と、選択する色変換テーブルと、の対応関係を規定したテーブルである。
【００８７】
上述のように、非塗工紙に記録を行う場合においては吸引動作に由来する画像の濃度低下の影響が大きくなる。したがって、本実施形態では、非塗工紙に記録を行う場合には第１の実施形態と同様に色変換テーブルＬＵＴ−１、ＬＵＴ−２、ＬＵＴ−３を吸引圧に応じて選択して適用する。
【００８８】
詳細には、図１４からわかるように、７ｋＰａの吸引圧で吸引動作を行う際には濃度低下が顕著に生じるため、色変換処理後のインク色データによって示されるインクの吐出量の合計が比較的多くなる図１２に示す色変換テーブルＬＵＴ−１を適用する。一方、１ｋＰａの吸引圧で吸引動作を行う際は濃度低下がほとんど生じないため、インクの吐出量の合計が比較的少なくなる図６に示す色変換テーブルＬＵＴ−３を適用する。また、４ｋＰａの吸引圧で吸引動作を行う場合には濃度低下の影響は中程度となるので、インクの吐出量の合計も中程度となる図１３に示す色変換テーブルＬＵＴ−２を適用して色変換処理を実行する。
【００８９】
一方、塗工紙に記録を行う際には吸引動作に由来する画像の濃度低下はそれ程発生しない。そこで、本実施形態では塗工紙に記録を行う場合にはインクの吐出量の合計が比較的多くなる色変換テーブルＬＵＴ−１は使用せず、インクの吐出量の合計も中程度となる色変換テーブルＬＵＴ−２とインクの吐出量の合計が比較的少なくなる色変換テーブルＬＵＴ−３を適用する。
【００９０】
詳細には、塗工紙に記録を行う際に７ｋＰａと比較的強い吸引圧で吸引動作を行ったとしても、非塗工紙に記録を行う場合に比べると濃度低下の影響は小さくなるため、インクの吐出量の合計が中程度となる図１３に示す色変換テーブルＬＵＴ−２を適用して色変換処理を行う。また、１ｋＰａ、４ｋＰａの吸引圧による吸引動作を伴って塗工紙に記録を行う際には濃度低下はほとんど生じないため、インクの吐出量の合計が比較的少なくなる図６に示す色変換テーブルＬＵＴ−３を適用して色変換処理を実行する。
【００９１】
以上記載したように、本実施形態によれば吸引圧だけではなく記録媒体の種類にも応じて色変換テーブルを選択して色変換処理を行うため、記録媒体の種類に応じて異なる程度にて発生する吸引動作に由来する記録画像の濃度低下を好適に抑制することが可能となる。
【００９２】
なお、ここでは塗工紙に記録する場合と非塗工紙に記録する場合で色変換テーブルの選択方法を変更する形態について記載したが、他の形態による実施も可能である。すなわち、ある記録媒体と他の記録媒体との間で同じ吸引圧での吸引動作による記録画像の濃度低下が互いに異なる程度にて発生する場合に、ある記録媒体に記録を行う際と他の記録媒体に記録を行う際で色変換処理にて用いる色変換テーブルの選択方法を変更すれば、塗工紙と非塗工紙に限らずとも本実施形態の効果を得ることができる。
【００９３】
（第３の実施形態）
上述した第１、第２の実施形態では、記録媒体上の表（おもて）面に対して記録を行う場合に吸引圧および色変換テーブルの選択する形態について記載した。
【００９４】
これに対し、本実施形態では、記録媒体上の表面に記録を行った後、同じ記録媒体上の裏面に記録を行う場合に吸引圧および色変換テーブルを選択する形態について記載する。
【００９５】
なお、上述した第１、第２の実施形態と同様の部分については説明を省略する。
【００９６】
記録媒体上の裏面を記録する際には、その表面には既に記録が行われている。したがって、裏面へのインク吐出量だけではなく、表面へのインク吐出量によっても裏面記録時に生じるコックリングの程度は異なるものとなる。この点を鑑み、本実施形態では、裏面へのインクの吐出量だけではなく表面へのインクの吐出量も考慮して裏面記録時の吸引動作における吸引圧を決定する。
【００９７】
なお、記録媒体上の表面に対して記録を行う際には、第１の実施形態と同様に図９に示すフローチャートにしたがって記録媒体上に対するインクの吐出量に関する情報を算出し、その情報と図１０に示すテーブルに基づいて吸引圧を決定する。すなわち、表面記録時には裏面へのインク吐出量は考慮せず、表面へのインクの吐出量のみを考慮して吸引動作における吸引圧を決定する。
【００９８】
図１５は本実施形態における制御プログラムにしたがってＣＰＵ３０１が実行する裏面記録時における記録媒体上に対するインクの吐出量に関する情報の算出過程を示すフローチャートである。なお、この制御プログラムは上述のようにＲＯＭ３０２に格納されている。
【００９９】
ステップＳ２１〜ステップＳ２３は、図９におけるステップＳ１１〜ステップＳ１３と同様である。まず、表面上の各分割領域内の複数の画素領域それぞれにおけるＲ信号の値、Ｇ信号の値、Ｂ信号の値を取得する（Ｓ２１）。次に、表面上の各分割領域において、表面上の分割領域内にある複数の画素領域のＲ信号の平均Ｒ＿Ａｖｅ＿ｆ、Ｇ信号の平均Ｇ＿Ａｖｅ＿ｆ、Ｂ信号の平均Ｂ＿Ａｖｅ＿ｆを算出する（Ｓ２２）。そして、表面上の各分割領域において、ＲＧＢ値の平均の合計ＲＧＢ＿Ｔｏｔａｌ＿ｆを算出する（Ｓ２３）。ここで、表面上の各分割領域において算出されたＲＧＢ値の平均の合計ＲＧＢ＿Ｔｏｔａｌ＿ｆは、表面上の各分割領域に対するインクの吐出量に対応することになる。
【０１００】
その後、裏面上の各分割領域内の複数の画素領域それぞれにおいて画像データが示す輝度に関する色信号であるＲ信号の値、Ｇ信号の値、Ｂ信号の値を取得する（Ｓ２４）。ここで、本実施形態では表面上の分割領域と裏面上の分割領域は互いに対応する位置にあるものとする。
【０１０１】
次に、裏面上の各分割領域において、裏面上の分割領域内にある複数の画素領域のＲ信号の平均Ｒ＿Ａｖｅ＿ｂ、Ｇ信号の平均Ｇ＿Ａｖｅ＿ｂ、Ｂ信号の平均Ｂ＿Ａｖｅ＿ｂを算出する（Ｓ２５）。そして、裏面上の各分割領域において、ＲＧＢ値の平均の合計ＲＧＢ＿Ｔｏｔａｌ＿ｂを算出する（Ｓ２６）。ここで、裏面上の各分割領域において算出されたＲＧＢ値の平均の合計ＲＧＢ＿Ｔｏｔａｌ＿ｂは、裏面上の各分割領域に対するインクの吐出量に対応する値である。
【０１０２】
そして、それぞれの分割領域において、ステップＳ２３にて算出された表面におけるＲＧＢ値の平均の合計ＲＧＢ＿Ｔｏｔａｌ＿ｆと、ステップＳ２６にて算出された裏面におけるＲＧＢ値の平均の合計ＲＧＢ＿Ｔｏｔａｌ＿ｂと、の和ＲＧＢ＿Ｔｏｔａｌ＿ｆ＆ｂを算出する（Ｓ２７）。
【０１０３】
ステップＳ２７で算出された和ＲＧＢ＿Ｔｏｔａｌ＿ｆ＆ｂは、各分割領域における表面へのインクの吐出量と裏面へのインクの吐出量の合計に関する値である。したがって、ある分割領域において和ＲＧＢ＿Ｔｏｔａｌ＿ｆ＆ｂが小さい場合、その分割領域は表面へのインクの吐出量と裏面へのインクの吐出量の合計が多い、ということになる。そのため、裏面記録時にコックリングが最も顕著に生じる分割領域は、和ＲＧＢ＿Ｔｏｔａｌ＿ｆ＆ｂが最小となる分割領域であることがわかる。
【０１０４】
したがって、それぞれの分割領域における和ＲＧＢ＿Ｔｏｔａｌ＿ｆ＆ｂのうちの最小値ＲＧＢ＿Ｔｏｔａｌ＿Ｍｉｎ＿ｆ＆ｂを算出する（Ｓ２８）。そして、この最小値ＲＧＢ＿Ｔｏｔａｌ＿Ｍｉｎ＿ｆ＆ｂを裏面記録時における記録媒体上に対するインクの吐出量に関する情報として裏面記録時の吸引圧を決定する際に用いる。
【０１０５】
図１６は本実施形態で用いる最小値ＲＧＢ＿Ｔｏｔａｌ＿Ｍｉｎ＿ｆ＆ｂと吸引圧の対応関係を規定したテーブルである。
【０１０６】
図１６に示すように、裏面記録時においては最小値ＲＧＢ＿Ｔｏｔａｌ＿Ｍｉｎ＿ｆ＆ｂが小さい（０以上１０２０以下）場合、ある分割領域に対する表面記録時のインク吐出量と裏面記録時のインク吐出量の合計が多くなるため、裏面記録時にその分割領域におけるコックリングを低減するために吸引圧を７ｋＰａと比較的強く設定する。
【０１０７】
一方、最小値ＲＧＢ＿Ｔｏｔａｌ＿Ｍｉｎ＿ｆ＆ｂが大きい（１２７６以上１５３０以下である）場合、表面記録時のインク吐出量と裏面記録時のインク吐出量の合計が多くなっている分割領域は存在しないと考えられる。したがって、裏面記録時に記録媒体にコックリングが発生する可能性は小さいので、不要な吸引圧で吸引を行わないように吸引圧を１ｋＰａと比較的弱く設定する。
【０１０８】
なお、最小値ＲＧＢ＿Ｔｏｔａｌ＿Ｍｉｎ＿ｆ＆ｂが中程度である（１０２１以上１２７５以下である）場合には、裏面記録時にある分割領域において発生するコックリングの程度もまた中程度となる。したがって、吸引圧も４ｋＰａと中程度の値に設定する。
【０１０９】
以上のようにして設定された吸引圧によって吸引ポンプによる吸引を行うことにより、裏面記録時においてもコックリングの程度によらず記録媒体をプラテン上に好適に吸着することができる。更に、裏面記録時においても上述のようにして決定された吸引圧と、図１１に示すテーブルと、に基づいて色変換処理で用いる色変換テーブルを選択することにより、強い吸引圧で吸引動作を行った場合であって画像の濃度低下を抑制した記録を行うことが可能となる。
【０１１０】
（第４の実施形態）
上述した第１から第３の実施形態では、強い吸引圧で吸引動作を行った際の画像の濃度低下を抑制するため、吸引圧に応じて異なる色変換テーブルを用いて色変換処理を行う形態について記載した。
【０１１１】
これに対し、本実施形態では、吸引圧に応じて異なるディザパターンを用いて量子化処理を行う形態について記載する。
【０１１２】
なお、上述した第１から第３の実施形態と同様の部分については説明を省略する。
【０１１３】
本実施形態では、吸引圧が１ｋＰａ、４ｋＰａ、７ｋＰａのいずれであっても図５のステップＳ５３２において図６に示す色変換テーブルを用いて色変換処理を実行する。
【０１１４】
一方、本実施形態では図５のステップＳ５３３において吸引圧に応じて異なるディザパターンを用いて量子化処理を実行する。
【０１１５】
図１７（ａ）は本実施形態で用いる吸引動作時の吸引圧と選択するディザパターンの対応関係を規定したテーブルである。また、図１７（ｂ）は７ｋＰａの吸引圧で吸引動作を実行する際に用いるディザパターンＤＩＴＨＥＲ−１を示す図である。また、図１７（ｃ）は４ｋＰａの吸引圧で吸引動作を実行する際に用いるディザパターンＤＩＴＨＥＲ−２を示す図である。なお、本実施形態では、１ｋＰａの吸引圧で吸引動作を実行する際に用いるディザパターンＤＩＴＨＥＲ−３は、図７に示したディザパターンと同じものとする。
【０１１６】
第１の実施形態と同様に、７ｋＰａと強い吸引圧で吸引動作を実行する場合、最終的に生成される記録データによって定められるインクの吐出量を多くする必要がある。そこで、図１７（ａ）からわかるように、本実施形態では７ｋＰａの吸引圧で吸引動作を行う際にはインクの吐出量が多くなるように定められた図１７（ｂ）に示すディザパターンＤＩＴＨＥＲ−１を用いて量子化処理を行う。
【０１１７】
詳細には、図１７（ｂ）に示すディザパターンＤＩＴＨＥＲ−１は、弱い吸引圧で吸引動作を実行する際に用いる図７に示すディザパターンＤＩＴＨＥＲ−３に比べ、小さい閾値が定められた画素が多くなっている。例えば、６４以下の閾値が定められた画素は図７に示すディザパターンＤＩＴＨＥＲ−３では１６個であるのに対し、図１７（ｂ）に示すディザパターンＤＩＴＨＥＲ−１では３２個となっている。ここから、仮にインク色データとして８画素×８画素の画素群のすべてに色信号の値が６４のインク色データが入力された場合、図１７（ｂ）に示すディザパターンＤＩＴＨＥＲ−１を用いて量子化処理を行った際に生成される量子化データは、図７に示すディザパターンＤＩＴＨＥＲ−３を用いて量子化処理を行った際に生成される量子化データに比べて約２倍のインクの吐出量を定めることがわかる。
【０１１８】
このように、本実施形態では強い吸引圧（７ｋＰａ）で吸引を行う際、ディザパターンＤＩＴＨＥＲ−１を用いることにより、弱い吸引圧（１ｋＰａ）で吸引を行う場合に比べてインクの吐出量を多くして記録を行うことができる。これにより、強い吸引圧での吸引動作に起因する画像の濃度低下を抑制することが可能となる。
【０１１９】
また、１ｋＰａと７ｋＰａの間である４ｋＰａと中程度の吸引圧で吸引動作を実行する場合には、図１７（ａ）からわかるように、図１７（ｃ）に示すディザパターンＤＩＴＨＥＲ−２を用いて量子化を行う。
【０１２０】
ここで、図１７（ｃ）に示すディザパターンＤＩＴＨＥＲ−２は、小さい閾値が定められた画素の数が図７に示すディザパターンＤＩＴＨＥＲ−３よりは多く、且つ、図１７（ｂ）に示すディザパターンＤＩＴＨＥＲ−１よりは少なくなるように、各画素に対する閾値が定められている。例えば、６４以下の閾値が定められた画素は図１７（ｃ）に示すディザパターンＤＩＴＨＥＲ−２では２２個である。
【０１２１】
したがって、本実施形態では中程度の吸引圧（４ｋＰａ）で吸引を行う際には、ディザパターンＤＩＴＨＥＲ−２を用いることにより弱い吸引圧（１ｋＰａ）で吸引を行う場合によりはインクの吐出量を多く、且つ、強い吸引圧（７ｋＰａ）で吸引を行う場合よりはインクの吐出量を少なくして記録することができる。
【０１２２】
以上記載したように、本実施形態によっても、強い吸引圧で吸引動作を行った際の画像の濃度低下を抑制した記録を行うことが可能となる。
【０１２３】
（第５の実施形態）
第４の実施形態では吸引圧に応じて異なるディザパターンを用いて量子化処理を行う形態について記載したが、本実施形態では吸引圧に応じて異なるマスクパターンを用いて分配処理を行う形態について記載する。
【０１２４】
なお、上述した第１から第４の実施形態と同様の部分については説明を省略する。
【０１２５】
本実施形態では、吸引圧が１ｋＰａ、４ｋＰａ、７ｋＰａのいずれであっても図５のステップＳ５３２において図６に示す色変換テーブルを用いて色変換処理を実行する。更に、吸引圧が１ｋＰａ、４ｋＰａ、７ｋＰａのいずれであっても図５のステップＳ５３３において図７に示すディザパターンを用いて量子化処理を行う。
【０１２６】
一方、本実施形態では図５のステップＳ５３４において、吸引圧に応じて異なるマスクパターンを用いて分配処理を実行する。
【０１２７】
図１８（ａ）は本実施形態で用いる吸引動作時の吸引圧と選択するマスクパターンの対応関係を規定したテーブルである。また、図１８（ｂ−１）〜（ｂ−８）はそれぞれ７ｋＰａの吸引圧で吸引動作を実行する際に吐出口列２０１ａ〜２０１ｈに量子化データを分配するために用いるマスクパターンＭＡＳＫ−１を示す図である。また、図１８（ｃ−１）〜（ｃ−８）はそれぞれ４ｋＰａの吸引圧で吸引動作を実行する際に吐出口列２０１ａ〜２０１ｈに量子化データを分配するために用いるマスクパターンＭＡＳＫ−２を示す図である。なお、本実施形態では、１ｋＰａの吸引圧で吸引動作を実行する際に用いるマスクパターンＭＡＳＫ−３は、図８に示したマスクパターンと同じものとする。
【０１２８】
本実施形態では、最終的に生成される記録データによって定められるインクの吐出量を多くするため、７ｋＰａと強い吸引圧で吸引動作を行う際にはインクの吐出量が多くなるように定められた図１８（ｂ−１）〜（ｂ−８）に示すマスクパターンＭＡＳＫ−１を用いて量子化処理を行う。
【０１２９】
詳細には、図１８（ｂ−１）〜（ｂ−８）に示すマスクパターンＭＡＳＫ−１は、弱い吸引圧で吸引動作を実行する際に用いる図８（ａ）〜（ｈ）に示すマスクパターンＭＡＳＫ−３に比べ、記録許容画素の数の合計が多くなるように定められている。図８（ａ）〜（ｈ）に示すマスクパターンＭＡＳＫ−３には合計で６４個の記録許容画素が配置されているのに対し、図１８（ｂ−１）〜（ｂ−８）に示すマスクパターンＭＡＳＫ−１には合計で１２８個の記録許容画素が配置されている。したがって、仮に量子化データとして同じ値の量子化データが入力された場合、図１８（ｂ−１）〜（ｂ−８）に示すマスクパターンＭＡＳＫ−１を用いて分配処理を行った際に生成される記録データは、図８（ａ）〜（ｈ）に示すマスクパターンＭＡＳＫ−３を用いて分配処理を行った際に生成される記録データに比べてインクの吐出量を多く定めることがわかる。
【０１３０】
このように、本実施形態では強い吸引圧（７ｋＰａ）で吸引を行う際、マスクパターンＭＡＳＫ−１を用いることにより、弱い吸引圧（１ｋＰａ）で吸引を行う場合に比べてインクの吐出量を多くして記録を行うことができる。これにより、強い吸引圧での吸引動作に起因する画像の濃度低下を抑制することが可能となる。
【０１３１】
また、１ｋＰａと７ｋＰａの間である４ｋＰａと中程度の吸引圧で吸引動作を実行する場合には、図１８（ａ）からわかるように、図１８（ｃ−１）〜（ｃ−８）に示すディザパターンＭＡＳＫ−２を用いて量子化を行う。
【０１３２】
ここで、図１８（ｃ−１）〜（ｃ−８）に示すマスクパターンＭＡＳＫ−２は、記録許容画素の数の合計が図８（ａ）〜（ｈ）に示すマスクパターンＭＡＳＫ−３よりは多く、且つ、図１８（ｂ−１）〜（ｂ−８）に示すマスクパターンＭＡＳＫ−１よりは少なくなるように、記録許容画素が配置されている。詳細には、マスクパターンＭＡＳＫ−２には合計で９６個の記録許容画素が配置されている。
【０１３３】
したがって、本実施形態では中程度の吸引圧（４ｋＰａ）で吸引を行う際には、マスクパターンＭＡＳＫ−２を用いることにより弱い吸引圧（１ｋＰａ）で吸引を行う場合によりはインクの吐出量を多く、且つ、強い吸引圧（７ｋＰａ）で吸引を行う場合よりはインクの吐出量を少なくして記録することができる。
【０１３４】
以上記載したように、本実施形態によっても、強い吸引圧で吸引動作を行った際の画像の濃度低下を抑制した記録を行うことが可能となる。
【０１３５】
なお、以上に説明した各実施形態では、複数色のインクを用いて記録を行う形態について説明したが、単色の記録を行う形態であっても本発明は適用可能である。
【０１３６】
また、同色のインクを吐出する吐出口列を複数有する記録ユニットを用い、分配処理において量子化データを複数の吐出口列に分配する形態について記載したが、他の形態による実施も可能である。例えば、同色のインクを吐出する吐出口列を１つずつ有する記録ユニットを用い、記録ユニットを記録媒体上の単位領域に対して複数回走査させて画像の完成させる記録装置において、分配処理にて量子化データを複数の走査に分配するような形態であっても本発明の構成を適用することができる。
【０１３７】
また、第１から第３の実施形態では吸引圧に応じて異なる色変換テーブルを用いて色変換処理を実行する形態を、第４の実施形態では吸引圧に応じて異なるディザパターンを用いて量子化処理を実行する形態を、第５の実施形態では吸引圧に応じて異なるマスクパターンを用いて分配処理を実行する形態をそれぞれ記載したが、それぞれの形態を組み合わせて実行しても良い。例えば、強い吸引圧で吸引動作を実行する場合には色変換処理にて色変換テーブルＬＵＴ−１を、量子化処理にてディザパターンＤＩＴＨＥＲ−１をそれぞれ用い、弱い吸引圧で吸引動作を実行する場合には色変換処理にて色変換テーブルＬＵＴ−３を、量子化処理にてディザパターンＤＩＴＨＥＲ−３をそれぞれ用いるような形態であっても良い。
【０１３８】
また、各実施形態には複数色のインクを用いて記録を行う記録装置について記載したが、単色のインクを用いて記録を行う記録装置においても本発明の構成を適用することができる。例えば、単色のインクを用いる場合であっても、強い吸引圧で吸引動作を実行する際には量子化処理にてディザパターンＤＩＴＨＥＲ−１を、中程度の吸引圧で吸引動作を実行する際には量子化処理にてディザパターンＤＩＴＨＥＲ−２を、弱い吸引圧で吸引動作を実行する際には量子化処理にてディザパターンＤＩＴＨＥＲ−３をそれぞれ用いることで本発明の効果を得ることができる。また、強い吸引圧で吸引動作を実行する際に分配処理にてマスクパターンＭＡＳＫ−１を、中程度の吸引圧で吸引動作を実行する際に分配処理にてマスクパターンＭＡＳＫ−２を、弱い吸引圧で吸引動作を実行する際に分配処理にてマスクパターンＭＡＳＫ−３を用いても同様に本発明の効果を得ることが可能である。
【０１３９】
また、各実施形態には記録装置を用いた記録方法について記載したが、各実施形態に記載の記録方法を行うためのデータを生成する画像処理装置または画像処理方法にも適用できる。また、各実施形態に記載の記録方法を実行するために記録装置のコンピュータを機能させるプログラムを記録装置とは別体に備える形態にも広く適用できることは言うまでもない。
【符号の説明】
【０１４０】
１９  吸引ポンプ
１０１〜１０４  記録ヘッド
１０７  プラテン
１０８  吸引口
３０１  ＣＰＵ
【図１】
2017140756.tif 000003
【図２】
2017140756.tif 000004
【図３】
2017140756.tif 000005
【図４】
2017140756.tif 000006
【図５】
2017140756.tif 000007
【図６】
2017140756.tif 000008
【図７】
2017140756.tif 000009
【図８】
2017140756.tif 000010
【図９】
2017140756.tif 000011
【図１０】
2017140756.tif 000012
【図１１】
2017140756.tif 000013
【図１２】
2017140756.tif 000014
【図１３】
2017140756.tif 000015
【図１４】
2017140756.tif 000016
【図１５】
2017140756.tif 000017
【図１６】
2017140756.tif 000018
【図１７】
2017140756.tif 000019
【図１８】
2017140756.tif 000020